(57)【要約】【課題】乳幼児と外出する際に、紙おむつとともに必要な清浄綿や袋を忘れずに携行することができる紙おむつセットおよび贈答用紙おむつセットを提供する。【解決手段】紙おむつセット１が紙おむつ２と、清浄綿３または清浄シートとを密封可能な袋４に入れて成る。贈答用紙おむつセットが、紙おむつセットを複数有し、基板と、棒状の芯材と、リボンとを有する。芯材は基板に対して垂直に固定されている。各紙おむつセットは、棒状に丸められて芯材の周囲に配置され、基板の上に載せられている。各紙おむつセットは、周囲をリボンにより巻かれて芯材に取り付けられている。【選択図】図１
0003200543.tif 000002
【実用新案登録請求の範囲】
【請求項１】
紙おむつと、清浄綿または清浄シートとを密封可能な袋に入れて成ることを特徴とする紙おむつセット。
【請求項２】
請求項１記載の紙おむつセットを複数有し、基板と、棒状の芯材と、リボンとを有し、
前記芯材は前記基板に対して垂直に固定され、
各紙おむつセットは、棒状に丸められて前記芯材の周囲に前記芯材の長さ方向に沿って配置され、前記基板の上に載せられ、周囲を前記リボンにより巻かれて前記芯材に取り付けられていることを、
特徴とする贈答用紙おむつセット。
【考案の詳細な説明】
【技術分野】
【０００１】
本考案は、紙おむつセットおよび贈答用紙おむつセットに関する。
【背景技術】
【０００２】
使い捨て紙おむつが、一般に普及している（例えば、特許文献１参照）。また、身体を拭くための清浄綿も普及している（例えば、特許文献２参照）。それらは、乳幼児とともに外出する際、バッグに入れられて携行されることが多く、使用後はまとめてビニル袋などに入れられて廃棄されている。
【先行技術文献】
【特許文献】
【０００３】
【特許文献１】特開２０１５−６２７４５号公報
【特許文献２】特開平８−１６８５１７号公報
【考案の概要】
【考案が解決しようとする課題】
【０００４】
しかしながら、乳幼児と外出する際に、紙おむつと清浄綿とビニル袋とを揃えて携行するのは手間がかかり、清浄綿やビニル袋を忘れてしまいやすいという課題があった。
【０００５】
本考案は、このような課題に着目してなされたもので、乳幼児と外出する際に、紙おむつとともに必要な清浄綿や袋を忘れずに携行することができる紙おむつセットおよび贈答用紙おむつセットを提供することを目的とする。
【課題を解決するための手段】
【０００６】
上記目的を達成するために、本考案に係る紙おむつセットは、紙おむつと、清浄綿または清浄シートとを密封可能な袋に入れて成ることを特徴とする。
本考案に係る紙おむつセットでは、紙おむつとともに清浄綿または清浄シートが袋に入れられているので、清浄綿または清浄シートや袋を携行し忘れるのを防ぐことができる。
使用済みの紙おむつと清浄綿または清浄シートは、袋に入れて密封し、清潔に廃棄することができる。清浄綿または清浄シートとしては、アルコールを含まない濡れコットンを防湿性のラミネート袋に密封したものが好ましい。袋は、紙おむつと、清浄綿または清浄シートとを入れて密封したとき、臭いがもれにくいものが好ましい。
【０００７】
本考案に係る贈答用紙おむつセットは、前述の紙おむつセットを複数有し、基板と、棒状の芯材と、リボンとを有し、前記芯材は前記基板に対して垂直に固定され、各紙おむつセットは、棒状に丸められて前記芯材の周囲に前記芯材の長さ方向に沿って配置され、前記基板の上に載せられ、周囲を前記リボンにより巻かれて前記芯材に取り付けられていることを、特徴とする。
本考案に係る贈答用紙おむつセットは、芯材の周囲に棒状に丸められた紙おむつセットが配置されてリボンで巻かれることで、豪華な見栄えとなって贈答用に適しており、飾り物としても利用できる。
【０００８】
本考案に係る贈答用紙おむつセットは、棒状に丸められた紙おむつセットの長さの１．２倍〜２．８倍の長さの芯材を用い、丸めた紙おむつセットを芯材の周囲に２段重ねまたは３段重ねに配置してもよい。また、芯材の周囲に配置された紙おむつセットの外側にＴシャツを重ね、その上からリボンで巻くようにしてもよい。紙おむつセットの上には、造花や人形、靴下などを載せてもよい。紙おむつセットの一部を靴下などに置き換えてもよい。贈答用紙おむつセットは、セロファンなどでラッピングしたり風船の中に収めたりしてもよい。
【考案の効果】
【０００９】
本考案によれば、乳幼児と外出する際に、紙おむつとともに必要な清浄綿や袋を忘れずに携行することができる紙おむつセットおよび贈答用紙おむつセットを提供することができる。
【図面の簡単な説明】
【００１０】
【図１】本考案の実施の形態の紙おむつセットの内容を示す正面図である。
【図２】本考案の実施の形態の贈答用紙おむつセットを示す正面図である。
【図３】図２の贈答用紙おむつセットの内部構造を示す説明図である。
【考案を実施するための形態】
【００１１】
以下、図面に基づき本考案の実施の形態について説明する。
図１に示すように、紙おむつセット１は、紙おむつ２と清浄綿３とを密封可能な袋４に個別包装したものから成っている。紙おむつ２は、市販の一般的なテープ式のものから成っても、パンツ式のものから成ってもよい。清浄綿３もまた、市販の一般的なもので、アルコールを含まない２枚の濡れコットンを防湿性のラミネート袋に密封したものから成る。袋４は、セロファン製の透明袋から成り、開口部に沿って粘着剤４ａが付着してあり、貼付け・開封を繰返し可能となっている。粘着剤４ａは、剥離シートで保護されていてもよい。袋４は、使用済みの紙おむつ２と清浄綿３とを入れて密封したとき、臭いがもれにくくなっている。
【００１２】
図２および図３に示すように、贈答用紙おむつセット１０は、紙おむつセット１を複数有し、基板１１と、棒状の芯材１２と、リボン１３とを有している。基板１１は、芯材１２の直径の３倍程度の直径の紙製の円盤から成る。芯材１２は、紙製のロールから成り、紙おむつセット１を棒状に丸めた長さの約１．５倍の長さを有している。芯材１２は、基板１１の中央部に対して垂直に固定されている。芯材１２の周囲には、紙おむつセット１が巻かれている。さらに、各紙おむつセット１は、棒状に丸められて芯材１２の周囲に芯材１２の長さ方向に沿って配置され、基板１１の上に載せられている。一例で、紙おむつセット１は、芯材１２の周囲に８〜１２個程度、配置される。図２に示すように、紙おむつセット１は、不織布１４で巻かれ、正面の外側に乳幼児用のＴシャツ１５を重ねられた上から、周囲をリボン１３により巻かれて芯材１２に取り付けられている。紙おむつセット１は、不織布１４で巻かれる前に紐でしっかりと芯材１２に巻き付けられていてもよい。
【００１３】
図３に示すように、紙おむつセット１の上から突き出た芯材１２の周囲には、さらに、丸められた紙おむつセット１が芯材１２に沿って配置され、２段重ねになっている。紙おむつセット１は、紐でしっかりと芯材１２に巻き付けられた上から不織布１４で巻かれ、その上から周囲をリボン１３により巻かれて芯材１２に取り付けられている。図２に示すように、紙おむつセット１の上には、バラの造花１６が複数配置され、最上部には人形１７が載せられている。贈答用紙おむつセット１０は、セロファンでラッピングされ、リボン１３で飾られている。贈答用紙おむつセット１０は、販売前に神社で健康・安全の祈祷をしてもらってもよい。
【００１４】
次に、作用について説明する。
乳幼児と外出する際には、着替えや紙おむつ、おしり拭き、使用済みの紙おむつを入れるためのビニール袋、哺乳瓶、粉ミルク、お湯など手荷物が多く、用意するのに手間がかかる。また、安心して出かけるために、乳幼児が泣いても迷惑をかけない場所や授乳できる場所を探しておくなど、予め考えておかなければならないことが多くある。このため、清浄綿や袋などを、うっかり忘れてしまいやすい。
【００１５】
しかしながら、紙おむつセット１は、紙おむつ２とともに清浄綿３が袋４に入れられているので、清浄綿３や袋４を携行し忘れるのを防ぐことができる。紙おむつセット１は、必要個数だけ持てばよいため、必要以上に用意して手荷物が増えるのを防ぐことができる。
使用済みの紙おむつ２と清浄綿３は、袋４に入れて密封し、清潔に廃棄することができる。袋４は、粘着剤４ａによりしっかりと密封することができるので、臭いが漏れにくい。
【００１６】
乳幼児を連れて外出するのは億劫になりがちであるが、紙おむつセット１を揃えておくことにより、外出の際に紙おむつセット１をバッグに入れれば、すぐに外出できるようになり、乳幼児を持つ母親の負担を減らすことができる。
贈答用紙おむつセット１０は、芯材１２の周囲に棒状に丸められた紙おむつセット１が配置されてリボン１３で巻かれることで、豪華な見栄えとなって贈答用に適しており、飾り物としても利用できる。また、目立つところに飾っておけば、外出の際にすぐに目に付くので、紙おむつセット１を携行し忘れるのをさらに防ぐことができる。
【符号の説明】
【００１７】
１  紙おむつセット
２  紙おむつ
３  清浄綿
４  袋
４ａ  粘着剤
１０  贈答用紙おむつセット
１１  基板
１２  芯材
１３  リボン
１４  不織布
１５  Ｔシャツ
１６  造花
１７  人形
【図１】
0003200543.tif 000003
【図２】
0003200543.tif 000004
【図３】
0003200543.tif 000005